(57)【特許請求の範囲】
【請求項１】
波の侵入を防ぐための起立壁を形成する起立部と、この起立部を鋼管矢板壁の頭部に支えるベース部とからなる矢板壁用防波壁において、
上記ベース部は、１本の鋼管矢板上端の中空部に内嵌して着脱可能に密着固定しうる弾性材または内圧によって膨張拡径しうる充填式の弾性袋体による栓状の止水部と、その外周に沿って同鋼管矢板の上端と当接しうる掛止部とを備えてなることを特徴とする矢板壁用防波壁。
【請求項２】
前記起立部は、内圧により鋼管径を超えて膨張拡径しうる充填式の弾性袋体によって構成してなることを特徴とする請求項１記載の矢板壁用防波壁。
【請求項３】
前記起立部は、少なくとも一方に隣接する鋼管矢板の上方にまで及ぶ範囲に形成し、これを支える連結ベースを備えてなることを特徴とする請求項１記載の矢板壁用防波壁。
【請求項４】
波の侵入を防ぐための起立壁を形成する起立部と、この起立部をU型鋼矢板壁の頭部に支えるベース部とからなる矢板壁用防波壁において、
上記ベース部は、鋼矢板壁の表面に沿って並行する並列部と、この並列部をU型鋼矢板の側方の一定距離位置に並列掛止するための掛止部と、同並列部とU型鋼矢板の間を塞ぐ弾性材による止水部とを備えてなることを特徴とする矢板壁用防波壁。
【請求項５】
前記請求項１または４記載の矢板壁用防波壁の掛止部によって同防波壁を矢板壁の上端に掛止するとともに、その止水部を作用させて止水固定する手順からなる矢板壁用防波壁の構築方法。
【発明の詳細な説明】
【０００１】
【発明の属する技術分野】
本発明は、橋脚の補修工事（例えば、耐震補強工事）のために打設した鋼矢板による仮設壁の上部に設ける矢板壁用防波壁およびその構築方法に関し、特に、構築と撤去を簡易に行なうことができる矢板壁用防波壁およびその構築方法に関する。
【０００２】
【従来の技術】
図１０は従来の鋼管矢板壁とその防波壁を示す縦断面図である。
補修等の作業対象の橋脚１０１を囲んで作業用の鋼管矢板壁１０２を打設する際は、橋桁１０３および桁受け１０４等の上部障害の制約を受けることから、打設した矢板壁１０２の上端位置を水面Ｗ近くに低く形成せざるを得ないので、海上橋脚等の高波を受けるおそれがある場合は、その侵入を防止するべく、従来は、矢板壁１０２を打設した後、その上端に同様の短い矢板１０５をさらに溶接して継ぎ足すことにより、矢板壁の上端から桁受けまでの間に防波壁を形成していた。
【０００３】
【発明が解決しようとする課題】
しかしながら、継ぎ足すべき矢板１０５は上部障害のために吊り込みができないので、溶接の際の保持手段を別途講じる必要があり、また、防水のために連続溶接を要するので、多大な溶接負荷を伴ない、さらに、工事終了後の矢板壁１０２の撤去の際には、まず、防波壁１０５をガス切断して撤去する必要があり、工期とコスト面で大きな負担が避けられなかった。
【０００４】
本発明の目的は、構築と撤去を容易に行なうことができる矢板壁用の防波壁およびその構築方法を提供することにある。
【０００５】
【課題を解決するための手段】
上記課題を解決するために、波の侵入を防ぐための起立壁を形成する起立部と、この起立部を鋼管矢板壁の頭部に支えるベース部とからなる矢板壁用防波壁において、上記ベース部は、１本の鋼管矢板上端の中空部に内嵌して着脱可能に密着固定しうる弾性材または内圧によって膨張拡径しうる充填式の弾性袋体による栓状の止水部と、その外周に沿って同鋼管矢板の上端と当接しうる掛止部とを備えることにより矢板壁用防波壁を構成する。
【０００６】
上記矢板壁用防波壁は、座状の掛止部によって鋼管上端に支えられ、弾性材による栓状の止水部によって鋼管上端に着脱可能に密着固定することができる。したがって、着脱が可能な防波壁を構成することができ、特に、弾性袋体を適用すれば、その弾性袋体に給気すると止水部の拡径によって鋼管頭部に密着固定することができ、また、排気縮径によって取り外しでき、空気力によって簡易に着脱が可能な防波壁を構成することができるので、着脱性と止水固定性を共に満たすことができる。
【０００７】
前記起立部は、内圧により鋼管径を超えて膨張拡径しうる充填式の弾性袋体によって構成することにより、起立部の弾性袋体を膨張拡径すると隣接部と密設し、波を受けた際の浸水を防止できる。前記起立部は、少なくとも一方に隣接する鋼管矢板の上方にまで及ぶ範囲に形成し、これを支える連結ベースを備えてなる矢板壁用防波壁である。また、波の侵入を防ぐための起立壁を形成する起立部と、この起立部をU型鋼矢板壁の頭部に支えるベース部とからなる矢板壁用防波壁において、上記ベース部は、鋼矢板壁の表面に沿って並行する並列部と、この並列部をU型鋼矢板の側方の一定距離位置に並列掛止するための掛止部と、同並列部とU型鋼矢板の間を塞ぐ弾性材による止水部とを備えることにより、U型鋼矢板壁の上端に止水部付きの起立壁を着脱可能に形成することができる。また、前記矢板壁用防波壁の掛止部によって同防波壁を矢板壁の上端に掛止するとともに、その止水部を作用させて止水固定する手順からなる矢板壁用防波壁の構築方法により、矢板壁用防波壁を着脱可能に簡易に構築することができる。その他にも、以下の手段の適用が可能である。前記起立部の弾性袋体は、取付け部の弾性袋体と連通することにより、鋼管頭部に固定する工程と起立部を膨張形成する工程が単一の給気作業によって処理することができる。取り外しも同様である。前記起立部の弾性袋体は、ゴム状弾性膜の単独の袋体からなり、その内圧調整のための給排口を備えることにより、隣接部から独立して起立部の充填排出操作ができるので、開閉可能な出入口とすることができる。前記止水部は内圧によって膨張拡径しうる充填式の弾性袋体によって構成し、その内圧調整のための給排口を備えることにより、止水固定性を確保しつつ、給気調節によって着脱が容易となる。前記止水部は、並列部とU型鋼矢板との隙間を調節するための当接調節手段としてのターンバックルを起立部に架設することにより、その当接調節によって止水固定性が確保され、かつ、着脱が容易となる。
【０００８】
【発明の実施の形態】
上記発明の実施の形態について以下に図面を参照しつつ説明する。
図１は本発明の鋼管矢板壁用の防波壁の最小単位の構成例を示す斜視図である。
最小単位となる防波壁１は、波の侵入を防ぐための起立壁を形成する起立部２と、この起立部２を鋼管矢板壁３の頭部に支えるベース部４とからなり、上記ベース部４は１本の鋼管矢板上端の中空部３ａに内嵌して着脱可能に密着固定しうる弾性材による栓状の止水部５と、その外周に沿って同鋼管矢板の上端面３ｂと当接しうるリング状座面６からなる掛止部とを備え、頂部に取手７を備える。
【０００９】
起立部２は、内圧によって上下に伸張でき、かつ、鋼管径を超えて膨張拡径しうるようにゴム状弾性膜により充填式の弾性袋体に構成し、また、止水部５についても内圧によって膨張拡径しうる充填式の弾性袋体によって構成し、これを起立部２の弾性袋体と連通させ、その内圧調整のために給気ホース５ａと接続しうる給排口５ｂを備える。
【００１０】
図２は図１の防波壁の装着時の斜視図である。
上記構成の防波壁１は、矢板壁３の各鋼管の上端に止水部５を内嵌して座面６で支え、給気することによって止水部５と起立部２を膨張させると、起立部２が互いに密接して一体的な起立壁を構成することができる。
【００１１】
このとき、防波壁１は座面６によって鋼管上端に支えられ、弾性材による栓状の止水部５によって鋼管上端に着脱可能に密着固定することができる。また、鋼管径を超えて起立部２の弾性袋体を膨張拡径することにより隣接間の浸水を防止できる。排気縮径すれば容易に取り外しできる。したがって、上下の袋体を連通することにより鋼管頭部に固定する工程と起立部２を膨張形成する工程が単一の給気作業によって処理することができ、取り外しも同様であることから、空気力によって簡易に防波壁を着脱できる。
【００１２】
図３はブロック式防波壁を円形構成した例を示す平面図、図４はブロック式防波壁を直列構成した例を示す斜視図である。以下において前記同様の部材はその符号を付すことによって説明を省略する。
ブロック式防波壁１１は、隣接するべき複数のベース部をフレキシブル材で連結した連結ベース１２と、この連結ベース１２上に一体の起立部１３を構成し、その両端部に連結用のファスナ１４，１４を備える。上記連結ベース１２の止水部は、使用条件に応じて適宜選択して構成する。
このブロック式防波壁１１は給排操作を一括処理できるので、ブロック式防波壁１１を連結することにより、まとめて能率よく着脱可能な円弧壁、または直列壁を構成することができる。
【００１３】
図５は本発明の防波壁の応用例を示す正面図である。
前述の最小単位の防波壁１を少なくとも１箇所に含めて防波壁２１を形成した場合は、その最小単位の防波壁１の起立部２を給排気操作によって伸縮動作させることにより、全周にわたって打設した鋼矢板壁３の上端から桁受２２に達する範囲を防波壁２１によって塞ぎ、波の侵入を確実に防ぐとともに、必要に応じて作業員や資材の出入口を確保することができる。
【００１４】
図６は本発明の防波壁によって別種の起立壁を構成した例を示す正面図である。
防波壁３１は、複数の止水部５…を備えた連結ベース１２上に障壁部材３２を取付けて構成する。障壁部材３２は、その両端にファスナ３３，３３を備えて隣接部と連結可能に構成する。この場合、障壁部材３２は金属板等の適宜の防波壁材を選択することができる。
【００１５】
図７はU型鋼矢板壁用の防波壁の平面図、図８は図７のＡ−Ａ線断面図である。
防波壁４１は、波の侵入を防ぐための起立壁を形成する起立部４２と、その下部４２ａをU型鋼矢板壁４３の頭部に支える掛止部４４と、起立部４２の下部４２ａとU型鋼矢板４３の間を塞ぐ弾性材による止水部４５とから構成する。また、止水部４５の当接調節手段としてのターンバックル４６を起立部４２の上部と鋼矢板壁４３の上端の間に架設する。
【００１６】
起立部４２はその下部４２ａを含め、鋼矢板壁４３の表面に沿って並行する形状に形成し、起立部４２の下部４２ａをU型鋼矢板４３の側方に並列する並列部として一定距離を空けて掛止部４４により掛止する。
【００１７】
止水部４５は、内圧調整のための図示せぬ給排口を備え、内圧によって膨張拡径しうる充填式の弾性袋体によって構成することにより、止水固定性を確保しつつ、給気調節によって着脱性を確保することができる。
ターンバックル４６は、その短縮操作によって起立部４２を微小角度範囲で傾斜させることにより、起立部４２の下部４２ａとU型鋼矢板との隙間を調節することができるので当接調節手段として機能し、止水部４５の止水性を増すとともに、強固な固定力を得ることができる。
【００１８】
図９は別の当接調節手段の構成例を示す図８と同様の図である。
起立部４２の上部と鋼矢板壁４３の上端の間に突っ張り方向に作用するターンバックル４７を架設することにより、当接調節手段を構成する。ターンバックル４７を伸張操作することにより起立部４２を微小角度範囲で傾斜させることができるので、上記同様に、起立部４２の下部４２ａとU型鋼矢板４３との隙間を調節することができる。
【００１９】
以上に詳述したとおり、本発明の矢板壁用防波壁は、掛止部によって防波壁の本体を矢板の上端に掛止し、止水部を作用させることにより、上部障害の制約を受けることなく、止水固定性を確保して着脱容易に構築することを可能とする。
【００２０】
【発明の効果】
本発明の矢板壁用防波壁は以下の効果を奏する。
上記矢板壁用防波壁は、座状の掛止部によって鋼管上端に支えられ、弾性材による栓状の止水部によって鋼管上端に着脱可能に密着固定することができる。また、U型鋼矢板の上端に止水部付きの起立壁を着脱可能に形成することができる。したがって、上部障害の制約を受けることなく、防波壁を着脱可能に構築することができる。
【図面の簡単な説明】
【図１】本発明の鋼管矢板壁用の防波壁の最小単位の構成例を示す斜視図
【図２】図１の防波壁の装着時の斜視図
【図３】ブロック式防波壁を円形構成した例を示す平面図
【図４】ブロック式防波壁を直列構成した例を示す斜視図
【図５】本発明の防波壁の応用例を示す正面図
【図６】本発明の防波壁によって別種の起立壁を構成した例を示す正面図
【図７】  U型鋼矢板壁用の防波壁の平面図
【図８】図７のＡ−Ａ線断面図
【図９】別の当接調節手段の構成例を示す図８と同様の図
【図１０】従来の鋼管矢板壁とその防波壁を示す縦断面図
【符号の説明】
１    防波壁
２    起立部（弾性袋体）
３    鋼管矢板壁
３ａ  中空部
３ｂ  上端面
４    ベース部
５    止水部（弾性袋体）
６    リング状座面（掛止部）
１１    ブロック式防波壁
１２    連結ベース
１３    起立部（弾性袋体）
２１    防波壁（出入口）
３１    防波壁
３２    障壁部材（起立部）
４１    防波壁
４２    起立部
４２ａ  起立部下部（並列部）
４３    U型鋼矢板壁
４４    掛止部
４５    止水部
４６，４７    ターンバックル（当接調節手段）
【図１】
0004355432.tif 000002
【図２】
0004355432.tif 000003
【図３】
0004355432.tif 000004
【図４】
0004355432.tif 000005
【図５】
0004355432.tif 000006
【図６】
0004355432.tif 000007
【図７】
0004355432.tif 000008
【図８】
0004355432.tif 000009
【図９】
0004355432.tif 000010
【図１０】
0004355432.tif 000011